(57)【要約】【課題】本発明は、壁掛け用の穴を有した電子機器に関し、壁掛け用の穴からケースの内部に侵入する静電気及び埃やゴミに起因する配線基板の破損を防止することのできる電子機器を提供することを課題とする。【解決手段】壁掛け用の穴２５と対向する部分の配線基板１２に、配線基板１２を貫通する貫通部４９を設け、貫通部４９と対向する部分のケース本体２１の底部３１に、壁掛け用の穴２５を囲むと共に、ケース本体２１の底部３１からカバー１３に向かう方向に突出する絶縁材からなる筒状突出部２８を設け、筒状突出部２８の端面２８Ａとカバー１３とを接触させた。【選択図】図１
2010050420.tif 000002
【特許請求の範囲】
【請求項１】
配線基板と、
前記配線基板を収容するケース本体と、前記ケース本体の底部に設けられた壁掛け用の穴とを有し、絶縁材からなるケースと、
前記ケースに装着され、絶縁材からなるカバーと、を備えた電子機器であって、
前記壁掛け用の穴と対向する部分の前記配線基板に、該配線基板を貫通する貫通部を設け、
前記貫通部と対向する部分の前記ケース本体の底部に、前記壁掛け用の穴を囲むと共に、前記ケース本体の底部から前記カバーに向かう方向に突出し、絶縁材からなる筒状突出部を設け、前記筒状突出部の端面と前記カバーとを接触させたことを特徴とする電子機器。
【請求項２】
前記筒状突出部は、前記ケース本体と一体的に構成されることを特徴とする請求項１記載の電子機器。
【請求項３】
配線基板と、
前記配線基板を収容するケース本体と、前記ケース本体の底部に設けられた壁掛け用の穴とを有し、絶縁材からなるケースと、
前記ケースに装着され、絶縁材からなるカバー本体と、を備えた電子機器であって、
前記壁掛け用の穴と対向する部分の前記配線基板に、該配線基板を貫通する貫通部を設け、前記貫通部と対向する部分の前記カバー本体に、前記カバー本体から前記ケース本体の底部に向かう方向に突出し、絶縁材からなる筒状突出部を設け、前記筒状突出部の端面と前記壁掛け用の穴を囲む部分の前記ケース本体の底部とを接触させたことを特徴とする電子機器。
【請求項４】
前記筒状突出部は、前記カバー本体と一体的に構成されることを特徴とする請求項３記載の電子機器。
【請求項５】
配線基板と、
前記配線基板を収容するケース本体と、前記ケース本体の底部に設けられた壁掛け用の穴とを有し、絶縁材からなるケースと、
前記ケースに装着され、絶縁材からなるカバー本体と、を備えた電子機器であって、
前記壁掛け用の穴と対向する部分の前記配線基板に、該配線基板を貫通する貫通部を設けると共に、
前記貫通部と対向する部分の前記ケース本体の底部に、前記壁掛け用の穴を囲むと共に、前記ケース本体の底部から前記カバー本体に向かう方向に突出し、絶縁材からなる第１の筒状突出部を設け、
前記貫通部と対向する部分の前記カバー本体に、前記カバー本体から前記ケース本体の底部に向かう方向に突出し、前記第１の筒状突出部の内周面又は外周面と接触し、絶縁材からなる第２の筒状突出部を設けたことを特徴とする電子機器。
【請求項６】
前記第１の筒状突出部は、前記ケース本体と一体的に構成され、
前記第２の筒状突出部は、前記カバー本体と一体的に構成されることを特徴とする請求項５記載の電子機器。
【請求項７】
配線基板と、
前記配線基板を収容し、絶縁材からなるケース本体と、
前記ケース本体に装着され、絶縁材からなるカバーと、を備えた電子機器であって、
前記配線基板と対向しない側の前記ケース本体の底部に凹部を設けると共に、
前記凹部に対して着脱可能な構成とされ、壁掛け用の穴を有した壁掛け用部材を設けたことを特徴とする電子機器。
【請求項８】
前記壁掛け用部材は、前記壁掛け用の穴が形成された板状部材と、前記板状部材に設けられ、前記凹部の側壁と接触すると共に、係止用突起を有した脚部とを有しており、
前記凹部の側壁に、該凹部の側壁を貫通すると共に、前記係止用突起と係合する貫通部を設けたことを特徴とする請求項７記載の電子機器。
【請求項９】
配線基板と、
前記配線基板を収容するケース本体と、前記ケース本体の底部に設けられた壁掛け用の穴とを有し、絶縁材からなるケースと、
前記ケースに装着され、絶縁材からなるカバーと、
前記ケースと前記カバーとの間に配置され、前記配線基板と電気的に接続されたケーブルを収容し、絶縁材からなるフレーム本体と、を備えた電子機器であって、
前記壁掛け用の穴と対向する部分の前記配線基板に、該配線基板を貫通する貫通部を設け、
前記貫通部と対向する部分の前記フレーム本体に、前記フレーム本体から前記ケース本体の底部に向かう方向に突出すると共に、前記壁掛け用の穴を囲む、絶縁材からなる筒状突出部を設け、前記筒状突出部の端面と前記ケース本体の底部とを接触させたことを特徴とする電子機器。
【請求項１０】
前記筒状突出部は、前記フレーム本体と一体的に構成されることを特徴とする請求項９記載の電子機器。
【請求項１１】
配線基板と、
前記配線基板を収容するケース本体と、前記ケース本体の底部に設けられた壁掛け用の穴とを有し、絶縁材からなるケースと、
前記ケースに装着され、絶縁材からなるカバーと、
前記ケースと前記カバーとの間に配置され、前記配線基板と電気的に接続されたケーブルを収容する絶縁材からなるフレーム本体と、を備えた電子機器であって、
前記壁掛け用の穴と対向する部分の前記配線基板に、該配線基板を貫通する貫通部を設け、
前記貫通部と対向する部分の前記ケース本体の底部に、前記壁掛け用の穴を囲むと共に、前記ケース本体の底部から前記フレーム本体に向かう方向に突出し、絶縁材からなる筒状突出部を設け、前記筒状突出部の端面と前記フレーム本体とを接触させたことを特徴とする電子機器。
【請求項１２】
前記筒状突出部は、前記ケース本体と一体的に構成されることを特徴とする請求項１１記載の電子機器。
【請求項１３】
配線基板と、
前記配線基板を収容するケース本体と、前記ケース本体の底部に設けられた壁掛け用の穴とを有し、絶縁材からなるケースと、
前記ケースに装着され、絶縁材からなるカバーと、
前記ケースと前記カバーとの間に配置され、前記配線基板と電気的に接続されたケーブルを収容し、絶縁材からなるフレーム本体と、を備えた電子機器であって、
前記壁掛け用の穴と対向する部分の前記配線基板に、該配線基板を貫通する貫通部を設け、
前記貫通部と対向する部分の前記ケース本体の底部に、前記壁掛け用の穴を囲むと共に、前記ケース本体の底部から前記フレーム本体に向かう方向に突出し、絶縁材からなる第１の筒状突出部を設け、
前記貫通部と対向する部分の前記フレーム本体に、前記フレーム本体から前記ケース本体の底部に向かう方向に突出し、前記第１の筒状突出部の内面又は外面と接触し、絶縁材からなる第２の筒状突出部を設けたことを特徴とする電子機器。
【請求項１４】
前記第１の筒状突出部は、前記ケース本体と一体的に構成され、
前記第２の筒状突出部は、前記フレーム本体と一体的に構成されることを特徴とする請求項１３記載の電子機器。
【発明の詳細な説明】
【技術分野】
【０００１】
本発明は、壁掛け用の穴を有した電子機器に関する。
【背景技術】
【０００２】
従来の電子機器には、壁に取り付けられたねじと係合する壁掛け用の穴を備えた電子機器（具体的には、例えば、光回線終端装置、モデム、ハブ等）がある（図１５参照）。
【０００３】
図１５は、従来の電子機器の断面図であり、図１６は、図１５に示す電子機器に設けられたケースの平面図である。
【０００４】
図１５及び図１６を参照するに、従来の電子機器２００は、ケース２０１と、カバー２０２と、配線基板２０３と、絶縁シート２０４と、雄ねじ２０５を有する。
【０００５】
ケース２０１は、底板部２０６と、基板支持部２０７と、絶縁シート取付部２０９と、壁掛け用の穴２１１と、絶縁シート支持部２１２とを有する。
【０００６】
基板支持部２０７は、配線基板２０３の配置領域に対応する部分の底板部２０６に４つ設けられている。基板支持部２０７は、底板部２０６と一体的に構成されている。基板支持部２０７の上端部には、雌ねじ２０７Ａ（ねじ穴）が形成されている。基板支持部２０７は、配線基板２０３に挿入された雄ねじ２０５を雌ねじ２０７Ａに螺合させることで、配線基板２０３を支持するための部材である。
【０００７】
絶縁シート取付部２０９は、基板支持部２０７の形成位置よりも内側に位置する部分の底板部２０６に４つ設けられている。絶縁シート取付部２０９は、底板部２０６と一体的に構成されている。４つの絶縁シート取付部２０９は、壁掛け用の穴２１１を囲むように配置されている。
【０００８】
壁掛け用の穴２１１は、絶縁シート取付部２０９の形成位置よりも内側に位置する部分の底板部２０６に設けられている。壁掛け用の穴２１１は、底板部２０６を貫通するように形成されている。壁掛け用の穴２１１は、壁に取り付けられた雄ねじ２１５の頭２１６を通過させるための第１の貫通部２１１Ａと、雄ねじ２１５の軸２１７と接触する第２の貫通部２１１Ｂとを有する。電子機器２００は、壁掛け用の穴２１１と雄ねじ２１５とが係合することで壁に掛けられる。
【０００９】
絶縁シート支持部２１２は、壁掛け用の穴２１１の上方に設けられている。絶縁シート支持部２１２は、雄ねじ２１５の頭２１６を収容するための空間を形成するための部材である。
【００１０】
カバー２０２は、ケース２０１に装着されている。配線基板２０３は、多層配線基板である配線基板本体（図示せず）と、配線基板本体に実装された電子部品（図示せず）とを有する。配線基板２０３の角部には、ねじ２０５を挿入するための貫通穴２１９が形成されている。
【００１１】
絶縁シート２０４は、絶縁シート取付部２０９と絶縁シート支持部２１２との間に挿入されている。絶縁シート２０４は、壁掛け用の穴２１１からケース２０１の内部に侵入する静電気により、配線基板２０３が破損することを防止するための部材である（例えば、特許文献１参照。）。
【特許文献１】特許第２８５３５３０号公報
【発明の開示】
【発明が解決しようとする課題】
【００１２】
しかしながら、従来の電子機器２００では、壁掛け用の穴２１１から侵入する静電気から配線基板２０３を保護することは可能であるが、絶縁シート２０４と壁掛け用の穴２１１が形成された底板部２０６との間に隙間が存在するため、壁掛け用の穴２１１を介して、電気機器２００の外部から侵入する埃やゴミ等が配線基板２０３に付着して、配線基板２０３が破損してしまう（具体的には、例えば、２つの配線と接触するようにゴミが付着した場合、２つの配線間がショートして配線基板２０３が破損してしまう）という問題があった。
【００１３】
そこで、本発明は上記の点に鑑みてなされたものであり、壁掛け用の穴からケースの内部に侵入する静電気及び埃やゴミに起因する配線基板の破損を防止することのできる電子機器を提供することを目的とする。
【課題を解決するための手段】
【００１４】
本発明の一観点によれば、配線基板（１２）と、前記配線基板（１２）を収容するケース本体（２１）と、前記ケース本体（２１）の底部（３１）に設けられた壁掛け用の穴（２５）とを有し、絶縁材からなるケース（１１）と、前記ケース（１１）に装着され、絶縁材からなるカバー（１３）と、を備えた電子機器（１０）であって、前記壁掛け用の穴（２５）と対向する部分の前記配線基板（１２）に、該配線基板（１２）を貫通する貫通部（４９）を設け、前記貫通部（４９）と対向する部分の前記ケース本体２１）の底部（３１）に、前記壁掛け用の穴（２５）を囲むと共に、前記ケース本体（２１）の底部（３１）から前記カバー（１３）に向かう方向に突出し、絶縁材からなる筒状突出部（２８）を設け、前記筒状突出部（２８）の端面（２８Ａ）と前記カバー（１３）とを接触させたことを特徴とする電子機器（１０）が提供される。
【００１５】
本発明によれば、壁掛け用の穴（２５）と対向する部分の配線基板（１２）に、配線基板（１２）を貫通する貫通部（４９）を設け、貫通部（４９）と対向する部分のケース本体（２１）の底部（３１）に、壁掛け用の穴（２５）を囲むと共に、ケース本体（２１）の底部（３１）からカバー（１３）に向かう方向に突出し、絶縁材からなる筒状突出部（２８）を設け、筒状突出部（２８）の端面（２８Ａ）とカバー（１３）とを接触させることにより、壁掛け用の穴（２５）を経由した静電気及び空気が、配線基板（１２）が収容された空間に移動することがなくなるため、静電気及び埃やゴミにより配線基板（１２）が破損することを防止できる。
【００１６】
本発明の他の観点によれば、配線基板（１２）と、前記配線基板（１２）を収容するケース本体（２１）と、前記ケース本体（２１）の底部（３１）に設けられた壁掛け用の穴（２５）とを有し、絶縁材からなるケース（５７）と、前記ケース（５７）に装着され、絶縁材からなるカバー本体（６１）と、を備えた電子機器（５５）であって、前記壁掛け用の穴（２５）と対向する部分の前記配線基板（１２）に、該配線基板（１２）を貫通する貫通部（４９）を設け、前記貫通部（４９）と対向する部分の前記カバー本体（６１）に、前記カバー本体（６１）から前記ケース本体（２１）の底部（３１）に向かう方向に突出し、絶縁材からなる筒状突出部（６３）を設け、前記筒状突出部（６３）の端面（６３Ａ）と前記壁掛け用の穴（２５）を囲む部分の前記ケース本体（２１）の底部（３１）とを接触させたことを特徴とする電子機器（５５）が提供される。
【００１７】
本発明によれば、壁掛け用の穴（２５）と対向する部分の配線基板（１２）に、配線基板（１２）を貫通する貫通部（４９）を設け、貫通部（４９）と対向する部分のカバー本体（６１）に、カバー本体（６１）からケース本体（２１）の底部（３１）に向かう方向に突出し、絶縁材からなる筒状突出部（６３）を設け、筒状突出部（６３）の端面（６３Ａ）と壁掛け用の穴（２５）を囲む部分のケース本体（２１）の底部（３１）とを接触させることにより、壁掛け用の穴（２５）を経由した静電気及び空気が、配線基板（１２）が収容された空間に移動することがなくなるため、静電気及び埃やゴミにより配線基板（１２）が破損することを防止できる。
【００１８】
本発明のその他の観点によれば、配線基板（１２）と、前記配線基板（１２）を収容するケース本体（２１）と、前記ケース本体（２１）の底部（３１）に設けられた壁掛け用の穴（２５）とを有し、絶縁材からなるケース（１１）と、前記ケース（１１）に装着され、絶縁材からなるカバー本体（６１）と、を備えた電子機器（７０，７５）であって、前記壁掛け用の穴（２５）と対向する部分の前記配線基板（１２）に、該配線基板（１２）を貫通する貫通部（４９）を設けると共に、前記貫通部（４９）と対向する部分の前記ケース本体（２１）の底部（３１）に、前記壁掛け用の穴（２５）を囲むと共に、前記ケース本体（２１）の底部（３１）から前記カバー本体（６１）に向かう方向に突出し、絶縁材からなる第１の筒状突出部（２８）を設け、前記貫通部（４９）と対向する部分の前記カバー本体（６１）に、前記カバー本体（６１）から前記ケース本体（２１）の底部（３１）に向かう方向に突出し、前記第１の筒状突出部（２８）の内周面（２８Ｂ）又は外周面（２８Ｃ）と接触し、絶縁材からなる第２の筒状突出部（６３）を設けたことを特徴とする電子機器（７０，７５）が提供される。
【００１９】
本発明によれば、壁掛け用の穴（２５）と対向する部分の配線基板（１２）に、配線基板（１２）を貫通する貫通部（４９）を設けると共に、貫通部（４９）と対向する部分のケース本体（２１）の底部（３１）に、壁掛け用の穴（２５）を囲むと共に、ケース本体（２１）の底部（３１）からカバー本体（６１）に向かう方向に突出し、絶縁材からなる第１の筒状突出部（２８）を設け、貫通部（４９）と対向する部分のカバー本体（６１）に、カバー本体（６１）からケース本体（２１）の底部（３１）に向かう方向に突出し、第１の筒状突出部（２８）の内周面（２８Ｂ）又は外周面（２８Ｃ）と接触し、絶縁材からなる第２の筒状突出部（６３）を設けることにより、壁掛け用の穴（２５）を経由した静電気及び空気が、配線基板（１２）が収容された空間に移動することがなくなるため、静電気及び埃やゴミにより配線基板（１２）が破損することを防止できる。
【００２０】
本発明のその他の観点によれば、配線基板（８３）と、前記配線基板（８３）を収容し、絶縁材からなるケース本体（２１）と、前記ケース本体（２１）に装着され、絶縁材からなるカバー（１３）と、を備えた電子機器（８０）であって、前記配線基板（８３）と対向しない側の前記ケース本体（２１）の底部（３１）に凹部（８６）を設けると共に、前記凹部（８６）対して着脱可能な構成とされ、壁掛け用の穴（２５）を有した壁掛け用部材（８２）を設けたことを特徴とする電子機器（８０）が提供される。
【００２１】
本発明によれば、配線基板（８３）と対向しない側のケース本体（２１）の底部（３１）に凹部（８６）を設けると共に、凹部（８６）対して着脱可能な構成とされ、壁掛け用の穴（２５）を有した壁掛け用部材（８２）を設けることにより、壁掛け用の穴（２５）を経由した静電気及び空気が、配線基板（８３）が収容された空間に移動することがなくなるため、静電気及び埃やゴミにより配線基板（８３）が破損することを防止できる。
【００２２】
本発明のその他の観点によれば、配線基板（１２）と、前記配線基板（１２）を収容するケース本体（２１）と、前記ケース本体（２１）の底部（３１）に設けられた壁掛け用の穴（２５）とを有し、絶縁材からなるケース（１０１）と、前記ケース（１０１）に装着され、絶縁材からなるカバー（１３）と、前記ケース（１０１）と前記カバー（１３）との間に配置され、前記配線基板（１２）と電気的に接続されたケーブルを収容し、絶縁材からなるフレーム本体（１０４）と、を備えた電子機器（１００）であって、前記壁掛け用の穴（２５）と対向する部分の前記配線基板（１２）に、該配線基板（１２）を貫通する貫通部（４９）を設け、前記貫通部（４９）と対向する部分の前記フレーム本体（１０４）に、前記フレーム本体（１０４）から前記ケース本体（２１）の底部（３１）に向かう方向に突出すると共に、前記壁掛け用の穴（２５）を囲む、絶縁材からなる筒状突出部（１０８）を設け、前記筒状突出部（１０８）の端面（１０８Ａ）と前記ケース本体（２１）の底部（３１）とを接触させたことを特徴とする電子機器（１００）が提供される。
【００２３】
本発明によれば、壁掛け用の穴（２５）と対向する部分の配線基板（１２）に、配線基板（１２）を貫通する貫通部（４９）を設け、貫通部（４９）と対向する部分のフレーム本体（１０４）に、フレーム本体（１０４）からケース本体（２１）の底部（３１）に向かう方向に突出すると共に、壁掛け用の穴（２５）を囲む、絶縁材からなる筒状突出部（１０８）を設け、筒状突出部（１０８）の端面（１０８Ａ）とケース本体（２１）の底部（３１）とを接触させることにより、壁掛け用の穴（２５）を経由した静電気及び空気が配線基板（１２）が収容された空間に移動することがなくなるため、静電気及び埃やゴミにより配線基板（１２）が破損することを防止できる。
【００２４】
本発明のその他の観点によれば、配線基板（１２）と、前記配線基板（１２）を収容するケース本体（２１）と、前記ケース本体（２１）の底部（３１）に設けられた壁掛け用の穴（２５）とを有し、絶縁材からなるケース（１１）と、前記ケース（１１）に装着され、絶縁材からなるカバー（１３）と、前記ケース（１１）と前記カバー（１３）との間に配置され、前記配線基板（１２）と電気的に接続されたケーブルを収容し、絶縁材からなるフレーム本体（１０４）と、を備えた電子機器（１２０）であって、前記壁掛け用の穴（２５）と対向する部分の前記配線基板（１２）に、該配線基板（１２）を貫通する貫通部（４９）を設け、前記貫通部（４９）と対向する部分の前記ケース本体（２１）の底部（３１）に、前記壁掛け用の穴（２５）を囲むと共に、前記ケース本体（２１）の底部（３１）から前記フレーム本体（１０４）に向かう方向に突出し、絶縁材からなる筒状突出部（２８）を設け、前記筒状突出部（２８）の端面（２８Ａ）と前記フレーム本体（１０４）とを接触させたことを特徴とする電子機器（１２０）が提供される。
【００２５】
本発明によれば、壁掛け用の穴（２５）と対向する部分の配線基板（１２）に、配線基板（１２）を貫通する貫通部（４９）を設け、貫通部（４９）と対向する部分のケース本体（２１）の底部（３１）に、壁掛け用の穴（２５）を囲むと共に、ケース本体（２１）の底部（３１）からフレーム本体（１０４）に向かう方向に突出し、絶縁材からなる筒状突出部（２８）を設け、筒状突出部（２８）の端面（２８Ａ）とフレーム本体（１０４）とを接触させることにより、壁掛け用の穴（２５）を経由した静電気及び空気が、配線基板（１２）が収容された空間に移動することがなくなるため、静電気及び埃やゴミにより配線基板（１２）が破損することを防止できる。
【００２６】
本発明のその他の観点によれば、配線基板（１２）と、前記配線基板（１２）を収容すると共に、前記配線基板（１２）を支持するケース本体（２１）と、前記ケース本体（２１）の底部（３１）に設けられた壁掛け用の穴（２５）とを有し、絶縁材からなるケース（１１）と、前記ケース（１１）に装着され、絶縁材からなるカバー（１３）と、前記ケース（１１）と前記カバー（１３）との間に配置され、前記配線基板（１２）と電気的に接続されたケーブルを収容し、絶縁材からなるフレーム本体（１０４）と、を備えた電子機器（１３０）であって、前記壁掛け用の穴（２５）と対向する部分の前記配線基板（１２）に、該配線基板（１２）を貫通する貫通部（４９）を設け、前記貫通部（４９）と対向する部分の前記ケース本体（２１）の底部（３１）に、前記壁掛け用の穴（２５）を囲むと共に、前記ケース本体（２１）の底部（３１）から前記フレーム本体（１０４）に向かう方向に突出し、絶縁材からなる第１の筒状突出部（２８）を設け、前記貫通部（４９）と対向する部分の前記フレーム本体（１０４）に、前記フレーム本体（１０４）から前記ケース本体（２１）の底部（３１）に向かう方向に突出し、前記第１の筒状突出部（２８）の内周面（２８Ｂ）又は外周面（２８Ｃ）と接触し、絶縁材からなる第２の筒状突出部（１０８）を設けたことを特徴とする電子機器（１３０）が提供される。
【００２７】
本発明によれば、壁掛け用の穴（２５）と対向する部分の配線基板（１２）に、配線基板（１２）を貫通する貫通部（４９）を設け、貫通部（４９）と対向する部分のケース本体（２１）の底部（３１）に、壁掛け用の穴（２５）を囲むと共に、ケース本体（２１）の底部（３１）からフレーム本体（１０４）に向かう方向に突出し、絶縁材からなる第１の筒状突出部（２８）を設け、貫通部（４９）と対向する部分のフレーム本体（１０４）に、フレーム本体（１０４）からケース本体（２１）の底部（３１）に向かう方向に突出し、第１の筒状突出部（２８）の内周面（２８Ｂ）又は外周面（２８Ｃ）と接触し、絶縁材からなる第２の筒状突出部（１０８）を設けることにより、壁掛け用の穴（２５）を経由した静電気及び空気が、配線基板（１２）が収容された空間に移動することがなくなるため、静電気及び埃やゴミにより配線基板（１２）が破損することを防止できる。
【００２８】
なお、上記参照符号は、あくまでも参考であり、これによって、本願発明が図示の態様に限定されるものではない。
【発明の効果】
【００２９】
本発明によれば、壁掛け用の穴を経由した静電気及び空気が、配線基板が収容された空間に移動することがなくなるため、静電気及び埃やゴミにより配線基板が破損することを防止できる。
【発明を実施するための最良の形態】
【００３０】
次に、図面に基づいて本発明の実施の形態を説明する。
【００３１】
（第１の実施の形態）
図１は、本発明の第１の実施の形態に係る電子機器の断面図である。
【００３２】
図１を参照するに、第１の実施の形態の電子機器１０は、ケース１１と、配線基板１２と、カバー１３とを有する。
【００３３】
図２は、図１に示す電子機器に設けられたケースの平面図である。
【００３４】
図１及び図２を参照するに、ケース１１は、絶縁材（例えば、絶縁樹脂）により構成されており、ケース本体２１と、基板支持部２２と、カバー固定部２３と、壁掛け用の穴２４，２５と、筒状突出部２７，２８とを有する。
【００３５】
ケース本体２１は、板状とされた底部３１と、底部３１と一体的に構成された側壁部３２とを有する。ケース本体２１は、略矩形とされた配線基板１２を収容するためのものである。
【００３６】
基板支持部２２は、ケース１１に収容された配線基板１２の角部と対向する部分のケース本体２１に設けられている。基板支持部２２は、底部３１と一体的に構成されている。基板支持部２２は、その上部に雄ねじ１４と螺合する雌めじ３５（ねじ穴）を有する。基板支持部２２は、配線基板１２に形成された後述する貫通穴４８に挿入された雄ねじ１４と雌めじ３５とを螺合させることで、配線基板１２をケース１１に固定するための部材である。
【００３７】
カバー固定部２３は、底部３１の角の近傍に設けられている。カバー固定部２３は、底部３１と一体的に構成されている。カバー固定部２３は、カバー１３に挿入された雄ねじ（図示せず）と螺合される雌ねじ３７（ねじ穴）を有する。カバー固定部２３は、雄ねじ（図示せず）により、カバー１３と固定される。
【００３８】
壁掛け用の穴２４は、配線基板１２の配置領域とは異なる領域に対応する部分の底部３１を貫通するように形成されている。壁掛け用の穴２４は、壁に取り付けられた雄ねじ４１の頭４２を通過させるための貫通部４５Ａと、雄ねじ４１の軸４３と接触する貫通部４５Ｂ，４５Ｃとを有する。
【００３９】
壁掛け用の穴２５は、配線基板１２の配置領域と対向する部分の底部３１を貫通するように形成されている。壁掛け用の穴２５は、壁に取り付けられた雄ねじ４１の頭４２を通過させるための貫通部４５Ａと、雄ねじ４１の軸４３と接触する貫通部４５Ｂ，４５Ｃとを有する。電子機器１０は、壁掛け用の穴２４，２５の貫通部４５Ｂと雄ねじ４１の軸４３とが接触することで縦掛けされ、壁掛け用の穴２４，２５の貫通部４５Ｃと雄ねじ４１の軸４３とが接触することで横掛けされる。
【００４０】
筒状突出部２７は、ケース本体２１の底部３１に設けられている。筒状突出部２７は、壁掛け用の穴２４を囲むと共に、ケース本体２１の底部３１からケース１１に装着されたカバー１３に向かう方向に突出している。筒状突出部２７は、絶縁材（例えば、絶縁樹脂）により構成されている。カバー１３と対向する筒状突出部２７の端面２７Ａは、カバー１３の内面１３Ａと接触している。
【００４１】
このように、絶縁材により構成され、壁掛け用の穴２４を囲むと共に、ケース本体２１の底部３１からケース１１に装着されたカバー１３に向かう方向に突出する筒状突出部２７をケース本体２１の底部３１に設け、カバー１３と対向する筒状突出部２７の端面２７Ａとカバー１３の内面１３Ａとを接触させることにより、電子機器１０の外部から壁掛け用の穴２４を経由した静電気及び空気が、配線基板１２が収容された空間に移動することがなくなるため、静電気及び埃やゴミにより配線基板１２が破損することを防止できる。
【００４２】
筒状突出部２７の外形は、例えば、四角形とすることができる。筒状突出部２７の外形が四角形の場合、筒状突出部２７の幅Ｗ１，Ｗ２、例えば、２０ｍｍとすることができる。この場合、筒状突出部２７の厚さＭ１は、例えば、１ｍｍとすることができる。
【００４３】
筒状突出部２８は、ケース本体２１の底部３１に設けられている。筒状突出部２８は、壁掛け用の穴２５を囲むと共に、ケース本体２１の底部３１からケース１１に装着されたカバー１３に向かう方向に突出している。筒状突出部２８は、配線基板１２に形成された後述する貫通部４９（壁掛け用の穴２５と対向する部分の配線基板１２を貫通する貫通部）を貫通している。また、筒状突出部２８と貫通部４９を構成する部分の配線基板との間には、隙間が形成されている。筒状突出部２８は、絶縁材（例えば、絶縁樹脂）により構成されている。カバー１３と対向する筒状突出部２８の端面２８Ａは、カバー１３の内面１３Ａと接触している。
【００４４】
このように、壁掛け用の穴２５と対向する部分の配線基板１２を貫通する貫通部４９と、絶縁材により構成され、壁掛け用の穴２５を囲むと共に、ケース本体２１の底部３１からケース１１に装着されたカバー１３に向かう方向に突出し、貫通部４９を貫通する筒状突出部２８とを設け、カバー１３と対向する筒状突出部２８の端面２８Ａとカバー１３の内面１３Ａとを接触させることにより、壁掛け用の穴２５を経由した静電気及び空気が、配線基板１２が収容された空間に移動することがなくなるため、静電気及び埃やゴミにより配線基板１２が破損することを防止できる。
【００４５】
また、筒状突出部２７，２８の端面２７Ａ，２８Ａとカバー１３の内面１３Ａとを接触させて、静電気及び埃やゴミによる配線基板１２の破損を防止することにより、従来の電子機器２００に設けられていた絶縁シート２０４が不要となるため、電子機器１０のコスト（製造コストも含む）を低減することができる。
【００４６】
筒状突出部２７，２８は、ケース本体２１の底部３１と一体的に構成されている。このように、筒状突出部２７，２８をケース本体２１の底部３１と一体的に構成することにより、例えば、射出成形を用いて、ケース本体２１、基板支持部２２、カバー固定部２３、壁掛け用の穴２４，２５、及び筒状突出部２７，２８を同時に形成することが可能となる。つまり、筒状突出部２７，２８を備えたケース１１は、従来の電子機器２００に設けられたケース２０１と略等しいコストで製造することができる。
【００４７】
筒状突出部２８の外形は、例えば、四角形とすることができる。筒状突出部２８の外形が四角形の場合、筒状突出部２８の幅Ｗ３，Ｗ４、例えば、２０ｍｍとすることができる。この場合、筒状突出部２８の厚さＭ２は、例えば、１ｍｍとすることができる。
【００４８】
図３は、図１に示す配線基板の平面図である。
【００４９】
図１及び図３を参照するに、配線基板１２は、矩形とされており、貫通穴４８と、貫通部４９とを有する。貫通穴４８は、配線基板１２の４つの角部にそれぞれ設けられている。貫通穴４８は、配線基板１２を貫通するように形成されている。貫通穴４８は、配線基板１２を基板支持部２２に固定する際に使用する雄ねじ１４を挿入するための穴である。配線基板１２は、貫通穴４８に挿入された雄ねじ１４と基板支持部２２に形成された雌ねじ３５とを螺合させることで、基板支持部２２に固定される。
【００５０】
貫通部４９は、壁掛け用の穴２５と対向する部分の配線基板１２を貫通するように形成されている。このように、壁掛け用の穴２５と対向する部分の配線基板１２に貫通部４９を設けることにより、貫通部４９を介して、ケース本体２１の底部３１からケース１１に装着されたカバー１３に向かう方向に突出する筒状突出部２８の端部２８Ａとカバー１３の内面１３Ａとを接触させることができる。
【００５１】
筒状突出部２８の外形が四角形の場合、貫通部４９の形状は四角形とすることができる。筒状突出部２８の外形が四角形で幅Ｗ３，Ｗ４が２０ｍｍの場合、貫通部４９の幅Ｗ５，Ｗ６は、例えば、２５ｍｍとすることができる。
【００５２】
上記構成とされた配線基板１２としては、例えば、片面基板、両面基板、多層基板のうちのいずれかの基板に電子部品が実装された基板を用いることができる。また、貫通部４９は、片面基板、両面基板、多層基板のうちのいずれかの基板を形成後に行われる貫通穴４８の形成工程において、貫通穴４８と同時に形成する。
【００５３】
このように、貫通穴４８と貫通部４９とを同時に形成することで、電子機器１０の製造コストの増加を抑制することができる。
【００５４】
配線基板１２の構成要素として片面基板又は両面基板のいずれかの基板を用いると共に、貫通部４９の形成領域に対応する部分の基板にパターンが密集していない場合、貫通部４９は、例えば、プレス加工により形成することができる。
【００５５】
また、配線基板１２の構成要素として多層基板を用いた場合、貫通部４９は、例えば、ルーターにより形成することができる。
【００５６】
図１を参照するに、カバー１３は、カバー１３の内面１３Ａが筒状突出部２７，２８の端面２７Ａ，２８Ａと接触するように、ケース１１に装着されている。カバー１３は、ケース１１に対して着脱可能な構成とされている。カバー１３は、絶縁材（例えば、絶縁樹脂）により構成されている。
【００５７】
本実施の形態の電子機器によれば、壁掛け用の穴２５と対向する部分の配線基板１２を貫通する貫通部４９と、絶縁材により構成され、壁掛け用の穴２５を囲むと共に、ケース本体２１の底部３１からケース１１に装着されたカバー１３に向かう方向に突出し、貫通部４９を貫通する筒状突出部２８とを設け、カバー１３と対向する筒状突出部２８の端面２８Ａとカバー１３の内面１３Ａとを接触させることにより、壁掛け用の穴２５を経由した静電気及び空気が、配線基板１２が収容された空間に移動することがなくなるため、静電気及び埃やゴミにより配線基板１２が破損することを防止できる。
【００５８】
また、筒状突出部２７，２８の端面２７Ａ，２８Ａとカバー１３の内面１３Ａとを接触させて、静電気及び埃やゴミによる配線基板１２の破損を防止することにより、従来の電子機器２００に設けられていた絶縁シート２０４が不要となるため、電子機器１０のコスト（製造コストも含む）を低減することができる。
【００５９】
さらに、筒状突出部２７，２８がケース本体２１の底部３１とカバー１３とを支持する支持体として機能するため、ケース１１及びカバー１３からなる筐体の強度を補強することができる。
【００６０】
図４は、他の筒状突出部を示す平面図である。図４において、図２に示すケース１１と同一構成部分には同一符号を付す。
【００６１】
なお、本実施の形態では、外形が四角形とされた筒状突出部２７，２８を例に挙げて説明したが、電子機器１０に設けられた筒状突出部２７，２８の代わりに、図４に示す外形が円形とされた筒状突出部５２を設けてもよい。この場合、本実施の形態の電子機器１０と同様な効果を得ることができる。筒状突出部５２の直径Ｒ１は、例えば、２０ｍｍとすることができる。
【００６２】
（第２の実施の形態）
図５は、本発明の第２の実施の形態に係る電子機器の断面図である。図５において、第１の実施の形態の電子機器１０と同一構成部分には同一符号を付す。
【００６３】
図５を参照するに、第２の実施の形態の電子機器５５は、第１の実施の形態の電子機器１０に設けられたケース１１及びカバー１３の代わりに、ケース５７及びカバー５８を設けた以外は電子機器１０と同様に構成される。
【００６４】
ケース５７は、絶縁材（例えば、絶縁樹脂）により構成されており、第１の実施の形態で説明したケース１１の構成要素から筒状突出部２７，２８を除いた以外は、ケース１１と同様に構成される。
【００６５】
図６は、図５に示すカバーをＡ視した図である。
【００６６】
図５及び図６を参照するに、カバー５８は、カバー本体６１と、筒状突出部６２，６３とを有する。カバー本体６１は、第１の実施の形態で説明したカバー１３と同様な構成とされている。
【００６７】
筒状突出部６２は、絶縁材（例えば、絶縁樹脂）により構成されており、壁掛け用の穴２４と対向する部分のカバー本体６１に設けられている。筒状突出部６２は、カバー本体６１からケース本体２１の底部３１に向かう方向に突出している。筒状突出部６２の端面６２Ａは、壁掛け用の穴２４を囲むように、底部３１の内面３１Ａと接触している。
【００６８】
このように、絶縁材により構成され、カバー本体６１からケース本体２１の底部３１に向かう方向に突出する筒状突出部６２をカバー本体６１に設け、筒状突出部６２の端面６２Ａを壁掛け用の穴２５を囲むように、底部３１の内面３１Ａと接触させることにより、電子機器５５の外部から壁掛け用の穴２４を経由した静電気及び空気が、配線基板１２が収容された空間に移動することがなくなるため、静電気及び埃やゴミにより配線基板１２が破損することを防止できる。
【００６９】
筒状突出部６２の外形は、例えば、四角形とすることができる。筒状突出部６２の外形が四角形の場合、筒状突出部６２の幅Ｗ７，Ｗ８は、例えば、２０ｍｍとすることができる。この場合、筒状突出部６２の厚さＭ３は、例えば、１ｍｍとすることができる。
【００７０】
筒状突出部６３は、絶縁材（例えば、絶縁樹脂）により構成されており、配線基板１２に形成された貫通部４９と対向する部分のカバー本体６１に設けられている。筒状突出部６３は、カバー本体６１からケース本体２１の底部３１に向かう方向に突出すると共に、配線基板１２に形成された貫通部４９を貫通している。底部３１と対向する筒状突出部６３の端面６３Ａは、壁掛け用の穴２５を囲むように、底部３１の内面３１Ａと接触している。筒状突出部６３と貫通部４９を構成する部分の配線基板１２との間には、隙間が形成されている。
【００７１】
このように、壁掛け用の穴２５と対向する部分の配線基板１２に、配線基板１２を貫通する貫通部４９を設け、貫通部４９と対向する部分のカバー本体６１に、カバー本体６１からケース本体２１の底部３１に向かう方向に突出し、絶縁材からなる筒状突出部６３を設け、底部３１と対向する筒状突出部６３の端面６３Ａと壁掛け用の穴２５を囲む部分の底部３１の内面３１Ａとを接触させることにより、壁掛け用の穴２５を経由した静電気及び空気が、配線基板１２が収容された空間に移動することがなくなるため、静電気及び埃やゴミにより配線基板１２が破損することを防止できる。
【００７２】
また、カバー本体６１に設けられた筒状突出部６２，６３の端面６２Ａ，６３Ａとケース本体２１に設けられた底部３１の内面３１Ａとを接触させてで、静電気及び埃やゴミによる配線基板１２の破損を防止することにより、従来の電子機器２００に設けられていた絶縁シート２０４が不要となるため、電子機器５５のコスト（製造コストも含む）を低減することができる。
【００７３】
筒状突出部６２，６３は、カバー本体６１と一体的に構成されている。このように、筒状突出部６２，３をカバー本体６１と一体的に構成することにより、例えば、射出成形を用いて、カバー本体６１及び筒状突出部６２，６３を同時に形成することが可能となる。つまり、筒状突出部６２，６３を備えたカバー５８は、従来の電子機器２００に設けられたカバー２０２と略等しいコストで製造することができる。
【００７４】
筒状突出部６３の外形は、例えば、四角形とすることができる。筒状突出部６３の外形が四角形の場合、筒状突出部６３の幅Ｗ９，Ｗ８は、例えば、２０ｍｍとすることができる。この場合、筒状突出部６３の厚さＭ４は、例えば、１ｍｍとすることができる。
【００７５】
本実施の形態の電子機器によれば、壁掛け用の穴２５と対向する部分の配線基板１２に、配線基板１２を貫通する貫通部４９を設け、貫通部４９と対向する部分のカバー本体６１に、カバー本体６１からケース本体２１の底部３１に向かう方向に突出し、絶縁材からなる筒状突出部６３を設け、底部３１と対向する筒状突出部６３の端面６３Ａと壁掛け用の穴２５を囲む部分の底部３１の内面３１Ａとを接触させることにより、壁掛け用の穴２５を経由した静電気及び空気が、配線基板１２が収容された空間に移動することがなくなるため、静電気及び埃やゴミにより配線基板１２が破損することを防止できる。
【００７６】
また、カバー本体６１に設けられた筒状突出部６２，６３の端面６２Ａ，６３Ａとケース本体２１に設けられた底部３１の内面３１Ａとを接触させてで、静電気及び埃やゴミによる配線基板１２の破損を防止することにより、従来の電子機器２００に設けられていた絶縁シート２０４が不要となるため、電子機器５５のコスト（製造コストも含む）を低減することができる。
【００７７】
さらに、筒状突出部６２，６３がケース本体２１の底部３１とカバー本体６１とを支持する支持体として機能するため、電子機器５５の強度を補強することができる。
【００７８】
なお、本実施の形態では、外形が四角形とされた筒状突出部６２，６３を例に挙げて説明したが、電子機器５５に設けられた筒状突出部６２，６３の外形を円形にしてもよい。この場合、本実施の形態の電子機器５５と同様な効果を得ることができる。
【００７９】
（第３の実施の形態）
図７は、本発明の第３の実施の形態に係る電子機器の断面図である。図７において、第１及び第２の実施の形態の電子機器１０，５５（図１及び図５参照）と同一構成部分には同一符号を付す。
【００８０】
図７を参照するに、第３の実施の形態の電子機器７０は、第１の実施の形態の電子機器１０に設けられたケース１１と、第２の実施の形態の電子機器５５に設けられたカバー５８と、貫通部４９を備えた配線基板１２とを有する。
【００８１】
筒状突出部２７（第１の筒状突出部）の内周面２７Ｂは、筒状突出部６２（第２の筒状突出部）の外周面６２Ｃと接触している。筒状突出部２７の端面２７Ａは、カバー本体６１の内面６１Ａと接触している。筒状突出部６２の端面６２Ａは、底部３１の内面３１Ａと接触している。
【００８２】
筒状突出部２８（第１の筒状突出部）の内周面２８Ｂは、筒状突出部６３（第２の筒状突出部）の外周面６３Ｃと接触している。筒状突出部２８の端面２８Ａは、カバー本体６１の内面６１Ａと接触している。筒状突出部６３の端面６３Ａは、底部３１の内面３１Ａと接触している。
【００８３】
本実施の形態の電子機器によれば、壁掛け用の穴２５と対向する部分の配線基板１２に貫通部４９を設けると共に、貫通部４９と対向する部分のケース本体２１の底部３１に、壁掛け用の穴２５を囲むと共に、底部３１からカバー本体６１に向かう方向に突出し、絶縁材からなる筒状突出部２８を設け、貫通部４９と対向する部分のカバー本体６１に、カバー本体６１からケース本体２１の底部３１に向かう方向に突出し、筒状突出部２８の内周面２８Ｂと接触し、絶縁材からなる筒状突出部６３を設けることにより、壁掛け用の穴２５を経由した静電気及び空気が、配線基板１２が収容された空間に移動することがなくなるため、静電気及び埃やゴミにより配線基板１２が破損することを防止できる。
【００８４】
図８は、本発明の第３の実施の形態の変形例に係る電子機器の断面図である。図８において、第３の実施の形態の電子機器７０と同一構成部分には同一符号を付す。
【００８５】
図８を参照するに、第３の実施の形態の変形例の電子機器７５は、筒状突出部２７（第１の筒状突出部）の外周面２７Ｃと筒状突出部６２（第２の筒状突出部）の内周面６２Ｂとを接触させると共に、筒状突出部２８（第１の筒状突出部）の外周面２８Ｃと筒状突出部６３（第２の筒状突出部）の内周面６３Ｂとを接触させた以外は、第３の実施の形態の電子機器７０と同様に構成される。
【００８６】
このような構成とされた電子機器７５は、第３の実施の形態の電子機器７０と同様な効果を得ることができる。
【００８７】
（第４の実施の形態）
図９は、本発明の第４の実施の形態に係る電子機器の断面図である。図９において、第１の実施の形態の電子機器１０と同一構成部分には同一符号を付す。
【００８８】
図９を参照するに、第４の実施の形態の電子機器８０は、カバー１３と、ケース８１と、壁掛け用部材８２と、配線基板８３とを有する。カバー１３は、着脱可能な状態で、ケース８１に装着されている。
【００８９】
図１０は、壁掛け用部材が装着されたケースの平面図である。図１０において、第４の実施の形態の電子機器８０と同一構成部分には同一符号を付す。
【００９０】
図９及び図１０を参照するに、ケース８１は、第１の実施の形態で説明したケース１１に設けられた筒状突出部２７，２８の代わりに、凹部８５，８６を設けた以外はケース１１と同様に構成される。凹部８５，８６は、配線基板８３と対向しない側のケース本体２１の底部３１に形成されている。凹部８５は、配線基板８３の配置領域に対応しない部分の底部３１に設けられている。凹部８６は、配線基板８３の配置領域に対応する部分の底部３１に設けられている。凹部８５，８６は、凹部８５，８６の側壁の一部を貫通する貫通部８７を有する。貫通部８７は、壁掛け用部材８２を凹部８５，８６に装着させる際、壁掛け用部材８２に設けられた後述する係止用突起９３と係合する。
【００９１】
凹部８５，８６の形状は、例えば、平面視四角形とすることができる。この場合、凹部８５，８６の大きさ（縦×横）は、例えば、２０．５ｍｍ×２０．５ｍｍ、凹部８５，８６の深さＤ１，Ｄ２は、例えば、１０ｍｍとすることができる。
【００９２】
図１１は、図９に示す壁掛け用部材の平面図である。
【００９３】
図９〜図１１を参照するに、壁掛け用部材８２は、壁掛け用の穴２５が形成された板状部材８８と、脚部８９とを有する。脚部８９は、板状部材８８に設けられた脚部本体９２と、凹部８５，８６の側壁と対向する部分の脚部本体９２に設けられた係止用突起９３とを有する。
【００９４】
脚部本体９２は、凹部８５，８６に壁掛け用部材８２が装着された状態において、凹部８５，８６の側壁と接触している。
【００９５】
係止用突起９３は、凹部８５，８６に壁掛け用部材８２が挿入されることで、凹部８５，８６に形成された貫通部８７と係合する。これにより、壁掛け用部材８２が凹部８５，８６に装着される。また、係止用突起９３と貫通部８７とが係合することにより、壁掛け用の穴２５を経由した静電気及び空気が、配線基板８３が収容された空間に移動することがなくなるため、静電気及び埃やゴミにより配線基板８３が破損することを防止できる。
【００９６】
係止用突起９３は、貫通部８７と係合した状態において、凹部８５，８６の側壁から突出する形状にするとよい。
【００９７】
このように、貫通部８７と係合する係止用突起９３を、凹部８５，８６の側壁から突出する形状とすることにより、カバー１３及び配線基板８３を取り外した後、凹部８５，８６の側壁から突出した部分の係止用突起９３を両側から押す（図９に示すＢ１，Ｂ２方向から押す）ことで、ケース８１から壁掛け用部材８２を取り外すことができる。
【００９８】
また、ケース８１に対して壁掛け用部材８２を着脱可能な構成とすることにより、例えば、ケース８１に装着された２つの壁掛け用部材８２のうちの一方が破損した場合、破損した壁掛け用部材８２のみを交換すればよいため、ケース８１全体を交換する必要がないので、電子機器８０の使い勝手をよくすることができる。
【００９９】
上記構成とされた壁掛け用部材８２の材料としては、例えば、絶縁材（例えば、絶縁樹脂）を用いることができる。また、壁掛け用部材８２の脚部本体９２の厚さＭ５は、例えば、１ｍｍとすることができる。
【０１００】
本実施の形態の電子機器によれば、配線基板８３と対向しない側のケース本体２１の底部３１に凹部８５，８６を設けると共に、凹部８５，８６に装着可能な構成とされ、壁掛け用の穴２５を有した壁掛け用部材８２を設けることにより、壁掛け用の穴２５を経由した静電気及び空気が、配線基板８３が収容された空間に移動することがなくなるため、静電気及び埃やゴミにより配線基板８３が破損することを防止できる。
【０１０１】
また、貫通部８７と係合する係止用突起９３を、凹部８５，８６の側壁から突出した形状とすることにより、カバー１３及び配線基板８３を取り外した後、凹部８５，８６の側壁から突出した部分の係止用突起９３を両側から押すことで、ケース８１から壁掛け用部材８２を取り外すことができる。
【０１０２】
さらに、ケース８１から壁掛け用部材８２を取り外すことが可能になることにより、例えば、２つの壁掛け用部材８２のうちの一方が破損した場合、破損した壁掛け用部材８２のみを交換すればよく、ケース８１全体を交換する必要がないので、電子機器８０の使い勝手をよくすることができる。
【０１０３】
（第５の実施の形態）
図１２は、本発明の第５の実施の形態に係る電子機器の断面図である。図１２において、第１の実施の形態の電子機器１０と同一構成部分には同一符号を付す。
【０１０４】
図１２を参照するに、第５の実施の形態の電子機器１００は、第１の実施の形態の電子機器１０に設けられたケース１１の代わりにケース１０１を設けると共に、さらにフレーム部材１０２を設けた以外は、電子機器１０と同様に構成される。
【０１０５】
ケース１０１は、第１の実施の形態で説明したケース１１の構成から筒状突出部２８を除いた以外はケース１１と同様に構成される。
【０１０６】
フレーム部材１０２は、絶縁材（例えば、絶縁樹脂）により構成されており、カバー１３とケース１０１との間に配置されている。フレーム部材１０２は、フレーム本体１０４と、ケーブル収容部１０５と、筒状突出部１０７，１０８とを有する。
【０１０７】
フレーム本体１０４は、ケース本体２１の側壁部３２の内面３２Ａ及びカバー１３の内面１３Ａの一部と接触している。フレーム本体１０４は、カバー１３が装着されたケース１０１の強度を補強するための部材である。
【０１０８】
ケーブル収容部１０５は、カバー１３と対向する部分のフレーム本体１０４に形成された凹部１１１と、凹部１１１の底部に対応する部分に形成された貫通部１１２とを有する。凹部１１１は、配線基板１２と電気的に接続されたケーブル（図示せず）を収容するための空間である。貫通部１１２は、ケーブル（図示せず）を凹部１１１に導入、或いは、ケーブル（図示せず）を凹部１１１からケース１０１へ引き出すためのケーブルの出入り口である。
【０１０９】
このように、配線基板１２と電気的に接続されたケーブルを収容するケーブル収容部１０５を有するフレーム部材１０２を設けることにより、カバー１３が装着されたケース１０１の強度を補強することが可能になると共に、ケーブルが煩雑になることを防止できる。
【０１１０】
筒状突出部１０７は、壁掛け用の穴２４と対向する部分のフレーム本体１０４に設けられている。筒状突出部１０７は、フレーム本体１０４からケース本体２１の底部３１に向かう方向に突出している。筒状突出部１０７の端面１０７Ａは、壁掛け用の穴２４を囲むように、底部３１の内面３１Ａと接触している。筒状突出部１０７の形状は、第２の実施の形態で説明した筒状突出部６２と同様な形状とすることができる。
【０１１１】
このように、絶縁材により構成され、フレーム本体１０４からケース本体２１の底部３１に向かう方向に突出する筒状突出部１０７をフレーム本体１０４に設け、底部３１と対向する筒状突出部１０７の端面１０７Ａを壁掛け用の穴２４を囲むように、底部３１の内面３１Ａと接触させることにより、電子機器１００の外部から壁掛け用の穴２４を介して、ケース１０１内に侵入した空気が、配線基板１２が収容された空間に移動することがなくなるため、静電気及び埃やゴミにより配線基板１２が破損することを防止できる。
【０１１２】
筒状突出部１０８は、絶縁材（例えば、絶縁樹脂）により構成されており、配線基板１２に形成された貫通部４９と対向する部分のフレーム本体１０４に設けられている。筒状突出部１０８は、フレーム本体１０４からケース本体２１の底部３１に向かう方向に突出すると共に、配線基板１２に形成された貫通部４９を貫通している。底部３１と対向する筒状突出部１０８の端面１０８Ａは、壁掛け用の穴２５を囲むように、底部３１の内面３１Ａと接触している。筒状突出部１０８と貫通部４９を構成する部分の配線基板１２との間には、隙間が形成されている。
【０１１３】
このように、壁掛け用の穴２５と対向する部分の配線基板１２に、配線基板１２を貫通する貫通部４９を設け、貫通部４９と対向する部分のフレーム本体１０４に、フレーム本体１０４からケース本体２１の底部３１に向かう方向に突出し、絶縁材からなる筒状突出部１０８を設け、底部３１と対向する筒状突出部１０８の端面１０８Ａと壁掛け用の穴２５を囲む部分の底部３１の内面３１Ａとを接触させることにより、壁掛け用の穴２５を経由した静電気及び空気が、配線基板１２が収容された空間に移動することがなくなるため、静電気及び埃やゴミにより配線基板１２が破損することを防止できる。
【０１１４】
また、フレーム本体１０４に設けられた筒状突出部１０７，１０８の端面１０７Ａ，１０８Ａとケース本体２１に設けられた底部３１の内面３１Ａとを接触させて、静電気及び埃やゴミによる配線基板１２の破損を防止することにより、従来の電子機器２００に設けられていた絶縁シート２０４が不要となるため、電子機器１００のコスト（製造コストも含む）を低減することができる。
【０１１５】
筒状突出部１０７，１０８は、フレーム本体１０４と一体的に構成されている。このように、筒状突出部１０７，１０８をフレーム本体１０４と一体的に構成することにより、例えば、射出成形を用いて、フレーム本体１０４及び筒状突出部１０７，１０８を同時に形成することが可能となる。つまり、筒状突出部１０７，１０８を設けることにより、フレーム部材１０２のコストが増加することはない。
【０１１６】
上記構成とされた筒状突出部１０８の形状は、第２の実施の形態で説明した筒状突出部６３と同様な形状とすることができる。
【０１１７】
本実施の形態の電子機器によれば、壁掛け用の穴２５と対向する部分の配線基板１２に、配線基板１２を貫通する貫通部４９を設け、貫通部４９と対向する部分のフレーム本体１０４に、フレーム本体１０４からケース本体２１の底部３１に向かう方向に突出すると共に、壁掛け用の穴２５を囲む絶縁材からなる筒状突出部１０８を設け、筒状突出部１０８の端面１０８Ａとケース本体２１の底部３１とを接触させることにより、壁掛け用の穴２５を経由した空気が、配線基板１２が収容された空間に移動することがなくなるため、静電気及び埃やゴミにより配線基板１２が破損することを防止できる。
【０１１８】
（第６の実施の形態）
図１３は、本発明の第６の実施の形態に係る電子機器の断面図である。図１３において、第１の実施の形態の電子機器１０又は第５の実施の形態の電子機器１００と同一構成部分には同一符号を付す。
【０１１９】
図１３を参照するに、第６の実施の形態の電子機器１２０は、第１の実施の形態の電子機器１０に設けられたカバー１３とケース１１との間に、図１２に示すフレーム部材１０２を設け、筒状突出部２７，２８の端面２７Ａ，２８Ａとフレーム本体１０４の面１０４Ａ（筒状突出部２７，２８と対向するフレーム本体１０４の面）とを接触させた以外は、電子機器１０と同様に構成される。
【０１２０】
本実施の形態の電子機器によれば、壁掛け用の穴２５と対向する部分の配線基板１２に、配線基板１２を貫通する貫通部４９を設け、貫通部４９と対向する部分のケース本体２１の底部３１に、壁掛け用の穴２５を囲むと共に、ケース本体２１の底部３１からフレーム本体１０４に向かう方向に突出し、絶縁材からなる筒状突出部２８を設け、筒状突出部２８の端面２８Ａとフレーム本体１０４とを接触させることにより、壁掛け用の穴２５を経由した静電気及び空気が、配線基板１２が収容された空間に移動することがなくなるため、静電気及び埃やゴミにより配線基板１２が破損することを防止できる。
【０１２１】
（第７の実施の形態）
図１４は、本発明の第７の実施の形態に係る電子機器の断面図である。図１４において、第５の実施の形態の電子機器１００又は第６の実施の形態の電子機器１２０と同一構成部分には同一符号を付す。
【０１２２】
図１４を参照するに、第７の実施の形態の電子機器１３０は、第５の実施の形態の電子機器１００に設けられたカバー１３及びフレーム部材１０２と、第６の実施の形態の電子機器１２０に設けられたケース１１と、貫通部４９を備えた配線基板１２とを有する。
【０１２３】
筒状突出部２７（第１の筒状突出部）の内周面２７Ｂは、筒状突出部１０７（第２の筒状突出部）の外周面１０７Ｃと接触している。筒状突出部２７の端面２７Ａは、フレーム本体１０４の面１０４Ａと接触している。筒状突出部１０７の端面１０７Ａは、底部３１の内面３１Ａと接触している。
【０１２４】
筒状突出部２８（第１の筒状突出部）の内周面２８Ｂは、筒状突出部１０８（第２の筒状突出部）の外周面１０８Ｃと接触している。筒状突出部２８の端面２８Ａは、フレーム本体１０４の面１０４Ａと接触している。筒状突出部１０８の端面１０８Ａは、底部３１の内面３１Ａと接触している。
【０１２５】
本実施の形態の電子機器によれば、壁掛け用の穴２５と対向する部分の配線基板１２に、配線基板１２を貫通する貫通部４９を設け、貫通部４９と対向する部分のケース本体２１の底部３１に、壁掛け用の穴２５を囲むと共に、ケース本体２１の底部３１からフレーム本体１０４に向かう方向に突出し、絶縁材からなる筒状突出部２８を設け、貫通部４９と対向する部分のフレーム本体１０４からケース本体２１の底部３１に向かう方向に突出すると共に、筒状突出部２８の内面２８Ｂと接触し、絶縁材からなる筒状突出部１０８を設けることにより、壁掛け用の穴２５を経由した静電気及び空気が配線基板１２が収容された空間に移動することがなくなるため、静電気及び埃やゴミにより配線基板１２が破損することを防止できる。
【０１２６】
なお、本実施の形態では、筒状突出部２７（第１の筒状突出部）の内周面２７Ｂと筒状突出部１０７（第２の筒状突出部）の外周面１０７Ｃとを接触させると共に、筒状突出部２８（第１の筒状突出部）の内周面２８Ｂと筒状突出部１０８（第２の筒状突出部）の外周面１０８Ｃとを接触させた場合を例に挙げて説明したが、筒状突出部２７（第１の筒状突出部）の外周面２７Ｃと筒状突出部１０７（第２の筒状突出部）の内周面１０７Ｂとを接触させると共に、筒状突出部２８（第１の筒状突出部）の外周面２８Ｃと筒状突出部１０８（第２の筒状突出部）の内周面１０８Ｂとを接触させてもよい。
【０１２７】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。例えば、１つの電子機器に、筒状突出部２８，６２を設けてもよい。
【産業上の利用可能性】
【０１２８】
本発明は、壁掛け用の穴を有した電子機器に適用可能である。
【図面の簡単な説明】
【０１２９】
【図１】本発明の第１の実施の形態に係る電子機器の断面図である。
【図２】図１に示す電子機器に設けられたケースの平面図である。
【図３】図１に示す配線基板の平面図である。
【図４】他の筒状突出部を示す平面図である。
【図５】本発明の第２の実施の形態に係る電子機器の断面図である。
【図６】図５に示すカバーをＡ視した図である。
【図７】本発明の第３の実施の形態に係る電子機器の断面図である。
【図８】本発明の第３の実施の形態の変形例に係る電子機器の断面図である。
【図９】本発明の第４の実施の形態に係る電子機器の断面図である。
【図１０】壁掛け用部材が装着されたケースの平面図である。
【図１１】図９に示す壁掛け用部材の平面図である。
【図１２】本発明の第５の実施の形態に係る電子機器の断面図である。
【図１３】本発明の第６の実施の形態に係る電子機器の断面図である。
【図１４】本発明の第７の実施の形態に係る電子機器の断面図である。
【図１５】従来の電子機器の断面図である。
【図１６】図１５に示す電子機器に設けられたケースの平面図である。
【符号の説明】
【０１３０】
１０，５５，７０，７５，８０，１００，１２０，１３０  電子機器
１１，５７，８１，１０１  ケース
１２，８３  配線基板
１３，５８  カバー
１３Ａ  内面
１４，４１  雄ねじ
２１  ケース本体
２２  基板支持部
２３  カバー固定部
２４，２５  壁掛け用の穴
２７，２８，５２，６２，６３，１０７，１０８  筒状突出部
２７Ａ，２８Ａ，６２Ａ，６３Ａ，１０７Ａ，１０８Ａ  端面
２７Ｂ，２８Ｂ，６２Ｂ，６３Ｂ，１０７Ｂ，１０８Ｂ  内周面
２７Ｃ，２８Ｃ，６２Ｃ，６３Ｃ，１０７Ｃ，１０８Ｃ  外周面
３１  底部
３１Ａ，３２Ａ，６１Ａ  内面
３２  側壁部
３５，３７  雌ねじ
４２  頭
４３  軸
４５Ａ，４５Ｂ，４５Ｃ，４９，８７，１１２  貫通部
４８  貫通穴
６１  カバー本体
８２  壁掛け用部材
８５，８６，１１１  凹部
８８  板状部材
８９  脚部
９２  脚部本体
９３  係止用突起
１０２  フレーム部材
１０４  フレーム本体
１０４Ａ  面
１０５  ケーブル収容部
Ｂ１，Ｂ２  方向
Ｄ１，Ｄ２  深さ
Ｍ１，Ｍ２，Ｍ３，Ｍ４，Ｍ５  厚さ
Ｒ１  直径
Ｗ１，Ｗ２，Ｗ３，Ｗ４，Ｗ５，Ｗ６  幅
【図１】
2010050420.tif 000003
【図３】
2010050420.tif 000004
【図４】
2010050420.tif 000005
【図５】
2010050420.tif 000006
【図７】
2010050420.tif 000007
【図８】
2010050420.tif 000008
【図９】
2010050420.tif 000009
【図１１】
2010050420.tif 000010
【図１３】
2010050420.tif 000011
【図１４】
2010050420.tif 000012
【図１５】
2010050420.tif 000013
【図２】
2010050420.tif 000014
【図６】
2010050420.tif 000015
【図１０】
2010050420.tif 000016
【図１２】
2010050420.tif 000017
【図１６】
2010050420.tif 000018